(57)【要約】【課題】  低圧にて圧縮空気システムを駆動して、高速度にて緯糸を挿入する。【解決手段】  糸供給装置中に配置した送出ローラにより緯糸ボビンからほぼ一定の速度にて送り出された後に、同じく糸供給装置内にて圧縮空気により前進された緯糸を、さらにエアーノズルによって挿入する。【選択図】    図１
2004285558.tif 000002
【特許請求の範囲】
【請求項１】
１０００ｍ／分以上の緯入速度及び圧縮空気送達システムを備えたエアージェット式織機において、糸供給装置中に配置した送出ローラにより緯糸ボビンからほぼ一定の速度にて送り出された後に、同じく糸供給装置内にて圧縮空気により前進された緯糸を、さらにエアーノズルによって挿入するためのエアーシステムは、３．５バール以下の圧力を有し、緯糸は、連続した速度にて緯糸挿入部材に供給されるとともに、ほぼ一定の速度にて経糸開口部に挿入されることを特徴とするエアージェット式織機。
【請求項２】
前記エアーシステムは２バール以下の圧力を有する請求項１に記載のエアージェット式織機。
【請求項３】
一本以上の緯糸が同時に挿入される複式型織機として実施され、かつ同時に導入されるべき緯糸のそれぞれが個々に分離した緯糸挿入通路を備える請求項１または２に記載のエアージェット式織機。
【請求項４】
緯入速度が、４０００ｍ／以上である請求項３に記載のエアージェット式織機。
【請求項５】
緯入速度が、５０００ｍ／以上である請求項４に記載のエアージェット式織機。
【請求項６】
複数の緯糸挿入通路は、ローラ状ロータの表面で、同ロータの外筒の外周上に軸方向に均一に配置される請求項３乃至５のいずれか１項に記載のエアージェット式織機。
【請求項７】
緯糸挿入通路が経糸開口形成部材に組み込まれている請求項３乃至６のいずれか１項に記載のエアージェット式織機。
【請求項８】
緯糸を挿入するためのエアーノズルが緯糸挿入通路の幅上に互いに互いに一定の間隔をおいて配置されるとともに圧縮空気システムに連結される請求項１乃至７のいずれか１項に記載のエアージェット式織機。
【請求項９】
１バールから最大３バールまでの圧力にて圧縮空気を送達する請求項１乃至８のいずれか１項に記載のエアージェット式織機を備えた製織機械用圧縮空気供給システム。
【請求項１０】
請求項１乃至８のいずれか１項に記載のエアージェット式織機と、請求項９に従う圧縮空気供給システムを備えた製織機械。
【発明の詳細な説明】
【技術分野】
【０００１】
本発明は、１０００ｍ／分以上の緯入速度及び圧縮空気送達システムを備えたエアージェット式織機に関する。
【背景技術】
【０００２】
エアージェット式織機において、緯糸は経糸開口部、即ちノズルから噴出されるエアーの助力によって経糸により形成された開口部に挿入される。
織機の性能は、通常、時間当たりのメートル数（ｍ／分）で表される緯入速度（緯糸挿入速度）によって決定される。例えば、本願出願人の場合、織幅が２メートルの高出力エアージェット式織機では、１分間に７５０回緯糸が挿入され、緯入速度は１５００ｍ／分である。この高い性能を維持するために、緯糸挿入システムは５バール以上に圧縮された空気にて作動する。即ち、エアーノズルには圧縮空気が供給される。
【特許文献１】特開平３−１６１５５０公報
【特許文献２】特開平５−２２２６４８公報
【特許文献３】欧州特許第０５１５３０６号
【特許文献４】欧州特許第０４５６５９９号
【発明の開示】
【発明が解決しようとする課題】
【０００３】
エアージェット式織機を用いて製織する際、圧縮空気は緯糸挿入のための作動手段としては比較的高価である。所定のエアーノズル形状において、空気消費量、即ちエネルギー消費量は緯糸挿入に使用される圧縮空気の圧力に依存する。高い緯入速度を達成するために、緯糸は、高速度の圧縮空気、言い換えれば高圧下の圧縮空気によって、メインノズル及び補助ノズルから経糸開口部へと前進、即ち飛走されなければならない。この型の織機を備えた製織施設では、複式圧縮装置、あるいは複式圧縮機を備えた空気供給プラントが必要となり、投資の高コスト及び高い稼動コストに繋がる。
【０００４】
従って、本発明の目的は、高緯入速度にて緯糸を挿入する場合でも、低い空気圧にて圧縮空気システムが作動するエアージェット式織機を提供することにある。
【課題を解決するための手段】
【０００５】
本発明は、上記した目的を達成するために、１０００ｍ／分以上の緯入速度及び圧縮空気送達システムを備えたエアージェット式織機において、糸供給装置中に配置した送出ローラにより緯糸ボビンからほぼ一定の速度にて送り出された後に、同じく糸供給装置内にて圧縮空気により前進された緯糸を、さらにエアーノズルによって挿入するためのエアーシステムは、３．５バール以下の圧力を有し、緯糸は、連続した速度にて緯糸挿入部材に供給されるとともに、ほぼ一定の速度にて経糸開口部に挿入されることを特徴とする。
【０００６】
ゼロから平均速度を遥かに越える非常に高い速度まで緯糸を加速すること、即ち、繰り返し改められる必要のある緯入速度によって特定される緯入速度は、緯糸を少なくともほぼ一定の速度にて常に緯糸挿入部材へ送り出す必要がない。本発明に従うエアージェット式織機において、緯糸は、緯入速度によって特定される速度にほぼ対応する速度にて、エアー搬送システムあるいは緯糸挿入部材へ導入される。
【０００７】
従って、緯入速度は、最初は表示された緯糸ボビンから緯糸を送り出すことができる最高速度に制限される。種々の糸、特にステープル紡績糸では、送出速度はこの制限なくしては、所望通りには増大しない。撚りの小さい短繊維の細い糸では特に深刻である。
【０００８】
緯入速度の更なる向上は、複数の緯糸挿入システムを備えた複式製織システムを用いることによって達成される。同システムでは、複数の緯糸が同時に挿入される。緯糸挿入通路が経糸開口形成部材に組込まれた複式緯糸挿入システムは、例えば、欧州特許第０５１５３０６号又は欧州特許第０４５６５９９号に開示されている。
【０００９】
しかしながら、本発明は、本発明に従う経済的な圧縮機を備えたエアージェット式織機の動作において、圧縮空気の生成をも許容する。圧縮機の設備費は、容易に半減することができる。複数の圧縮機を備えているかぎり、その数を減らすことも可能である。より低い作動圧を備えた圧縮空気システムのための導管システムを構成することにより更にコストを低減できる。
【発明を実施するための最良の形態】
【００１０】
本発明は、エアージェット用織機のための緯糸挿入システムの概略を示す図面とともに以下に記載される。
複数の緯糸挿入装置が織機ロータ１の外筒面上に配置されており、その内の４つのみが緯糸Ｙ1，Ｙ２，Ｙ3及びＹ4とともに模式的に示されており、同装置により緯糸は同時に
挿入される。緯糸Ｙ1，Ｙ２，Ｙ3及びＹ4は、緯糸供給装置Ｌ１，Ｌ２，Ｌ3及びＬ４によりほぼ一定の速度にて緯糸ボビンＳ１，Ｓ２，Ｓ３及びＳ４から送り出され、ほぼ同一の一定速度にて、供給装置１１へ供給される。同装置１１は、織機ロータの緯糸挿入装置へ、正確な位置、かつ正確な時間にて緯糸を供給又は搬送する。
【００１１】
緯糸ボビンＳ１，Ｓ２，Ｓ３及びＳ４からの緯糸Ｙ1，Ｙ２，Ｙ3及びＹ4の送出は、例
えば、糸供給装置Ｌ１，Ｌ２，Ｌ3及びＬ４中の送出ローラ（図示しない）によって行わ
れる。送出ローラは、送出速度を非常に正確に維持することを可能にする。
【００１２】
緯糸Ｙ1，Ｙ２，Ｙ3及びＹ4の前進は、糸供給装置Ｌ１，Ｌ２，Ｌ3及びＬ４における圧縮空気によって既に部分的に促進される。同圧縮空気は、圧縮空気コンテナ１２から糸供給装置Ｌ１，Ｌ２，Ｌ3及びＬ４へ通ずる圧縮空気ライン１２Lによって示される。更に、制御可能なバルブ及び調整可能なバルブのうちの少なくとも一方が圧縮空気ライン１２L
に配置され、制御調整ユニット１３によって作動される。供給装置１１では、緯糸Ｙ1，
Ｙ２，Ｙ3及びＹ4は圧縮空気によって前進する。分離された制御バルブ及び調整バルブＶ1，Ｖ１４のうちの少なくとも一方が、異なる緯糸のために供給装置の各々に通常設けら
れている（緯糸Ｙ4のためのもののみが図示されている）。
【００１３】
個々の緯糸Ｙ1，Ｙ２，Ｙ3及びＹ4に対する緯糸通路において、緯糸は、いわゆるリレ
ーノズル１４を備えた経糸開口部へと前進及び挿入される（緯糸Ｙ４の緯糸挿入通路のみが示されている）。圧縮空気コンテナ１２からリレーノズル１４の群１４１，１４２，１４３，１４４への圧縮空気の供給Ｚ141，Ｚ142，Ｚ143，Ｚ144は、制御及び調整ユニット１３の補助により所定の緯糸挿入プログラムに従って、制御バルブＶ’141，Ｖ’142，Ｖ’143，Ｖ’144及び調整バルブＶ141，Ｖ142，Ｖ143，Ｖ144にて制御及び調整される。
【００１４】
圧縮空気供給ラインにおける制御バルブＶ’141，Ｖ’142，Ｖ’143，Ｖ’144及び調整バルブＶ141，Ｖ142，Ｖ143，Ｖ144の順序を逆にもできることは自明のことである。同様に、図示されない圧縮空気用圧縮機から圧縮空気コンテナ１２に供給される圧縮空気は、圧力調整され得る。制御及び調整ユニット１３もまた、機械的あるいは空気圧によって作動され得る。従って、バルブは電気的、電子的に駆動可能である必要はない。
【００１５】
緯糸は、同緯糸が停止するとともに切断されるまで常に一定の速度にて移動するので、従来技術による、１０００メートル以上の早い緯入速度を備えた従来の装置よりも遥かに
低い圧力を備えた空気供給装置を作動することが可能となる。
【００１６】
従来の装置は、４バールを越える圧力、典型的には４〜６バールの圧力にて駆動し、この場合、圧縮機はこれらの装置に例えば圧力８バールの圧縮空気を供給する。
連続的かつほぼ一定の緯糸送達速度を備えた新しい送達装置は、多くても３．５バール、典型的には３バール、２．５バール、２バールあるいはわずか１バールあるいはそれ以下の空気圧にて作動し、これらのバルブ間の圧力は緯糸の型式及び構成に依存する。１０００メートル及びそれ以上の緯入速度は単一の緯糸挿入装置にて達成され、例えば、５０００〜６０００メートル以上の緯入速度は、４つの緯糸挿入装置にて達成され、このような複式緯糸挿入装置では、４本の緯糸が常に同時に挿入される。
【００１７】
ここでは、本発明の複式緯糸挿入装置に関して説明されている。しかしながら、単一の緯糸のみが一度に経糸開口部に挿入される単一の緯糸挿入装置に使用してもよい。
１０００ｍ／分以上の緯入速度を備えたエアージェット式織機は、圧力が多くても３．５バール、好ましくは２．５バール以下である圧縮空気送達装置１２、１２Lを備える。
この圧縮空気送達装置１２，１２Lからの圧縮空気は、エアーノズル１４及び糸搬送部材
Ｌ１，Ｌ２，Ｌ3及びＬ４（部分的に符号が記載されていない）に供給され、緯糸Ｙ1，Ｙ２，Ｙ3及びＹ4は緯糸挿入部材に供給されるとともに連続的かつほぼ一定の速度にて経糸開口部に挿入される。
【図面の簡単な説明】
【００１８】
【図１】本発明におけるエアージェット式織機を示す説明図。
【符号の説明】
【００１９】
緯糸Ｙ1，Ｙ２，Ｙ3及びＹ4、緯糸ボビンＳ１，Ｓ２，Ｓ３及びＳ４、緯糸供給装置Ｌ
１，Ｌ２，Ｌ3及びＬ４。
【図１】
2004285558.tif 000003